(57)【特許請求の範囲】
【請求項１】
シャーシに、ディスクを駆動する回転駆動部と、記録動作と再生動作の少なくとも一方を行うヘッドと、前記ヘッドを案内する第１の案内部材および第２の案内部材と、前記第１の案内部材と並んで設けられて移送モータによって回転駆動されるスクリュー軸とが搭載され、前記スクリュー軸の回転力によって前記ヘッドがディスクの面に対向して移動するディスク装置において、
前記スクリュー軸を回転自在に支持するブラケットが設けられ、前記ブラケットには、前記スクリュー軸と平行に延びる連結板部と、前記連結板部の両側に位置する一対の押圧部と、前記連結板部において前記シャーシから離れる向きに隆起する支点突起とが形成され、前記シャーシに、取付け面と、前記取付け面に間隔を空けて対向する中間支持部とが設けられており、
前記連結板部が前記取付け面と前記中間支持部との間に配置されて、中間弾性部材によって前記連結板部が前記取付け面から離れる向きに付勢されて、前記支持突起が前記中間支持部に押し付けられており、
それぞれの前記押圧部によって前記第１の案内部材の両端部が前記取付け面に向けて押圧されるとともに、前記第１の案内部材の前記両端部を前記取付け面から離れる向きに付勢する弾性部材が設けられており、
前記ブラケットの傾き角度を、前記支持突起と前記中間支持部との当接部を支点として調整する傾き調整機構が設けられ、前記ブラケットと共に前記スクリュー軸の傾き角度が調整可能であるとともに、前記取付け面に対する前記第１の案内部材の傾き角度が同時に調整可能とされていることを特徴とするディスク装置。
【請求項２】
前記ブラケットに設けられた前記押圧部は、前記取付け面に対して傾斜して形成され、前記取付け面には、垂直に延びる規制部が設けられており、前記押圧部から前記第１の案内部材に作用する押圧力の分力によって、前記第１の案内部材の端部が、前記取付け面に向けて押されるとともに前記規制部に押し付けられている請求項１記載のディスク装置。
【請求項３】
前記第１の案内部材の端部を付勢する前記弾性部材に、前記取付け面に対して傾斜する傾斜付勢部が設けられており、前記傾斜付勢部によって、前記第１の案内部材の端部が前記取付け面から離れる向きに付勢されるとともに、付勢力の分力によって、前記第１の案内部材の端部が前記規制部に押し付けられる請求項２記載のディスク装置。
【請求項４】
前記弾性部材には、前記傾斜付勢部と一体の端面規制部が設けられており、この端面規制部によって、前記第１の案内部材の軸方向への移動が規制されている請求項３記載のディスク装置。
【請求項５】
前記中間弾性部材と、前記第１の案内部材の端部を付勢する前記弾性部材が、共通の板ばねに形成されている請求項１ないし４のいずれかに記載のディスク装置。
【請求項６】
前記傾き調整機構は、前記スクリュー軸の軸方向に間隔を空けた２箇所で、前記ブラケットに挿通されて前記シャーシに螺着された一対の調整ねじを有しており、前記調整ねじのねじ込み量を変えると、前記ブラケットの傾き角度が変えられる請求項１ないし５のいずれかに記載のディスク装置。
【請求項７】
前記ブラケットに、前記ヘッドの移動位置を検知する検知スイッチが設けられている請求項１ないし６のいずれかに記載のディスク装置。
【発明の詳細な説明】
【技術分野】
【０００１】
本発明は、ヘッドを案内する案内部材の傾き角度を変えて、ディスクに対するヘッドの対向角度を調整する調整機構を備えたディスク装置に関する。
【背景技術】
【０００２】
光ヘッドによって、ディスクに記録された情報を再生しまたはディスクに情報を記録するディスク装置は、光ヘッドが案内部材によって往復移動できるように支持されているとともに、案内部材と平行に延びるスクリュー軸が設けられ、このスクリュー軸の回転力により光ヘッドが移動させられる。
【０００３】
この種のディスク装置では、ターンテーブルにクランプされるディスクの記録面に対して、光ヘッドが最適な向きで対向するように光ヘッドの向きを調整することが必要である。
【０００４】
以下の特許文献１および特許文献２などに記載されているように、従来のディスク装置は、光ヘッドを案内する案内部材や、光ヘッドに移動力を与えるスクリュー軸の取付け角度を変えて、ディスクに対する光ヘッドの対向角度を調整できるようにしているのが一般的である。
【０００５】
また、ディスク装置として、平行に延びる一対の案内部材によって光ヘッドが案内されるとともに、一方の案内部材の側方にスクリュー軸が設けられ、このスクリュー軸から光ヘッドに移動力が与えられるものがある。この構造は、光ヘッドの案内構造と光ヘッドへ移動力を与える経路とが分離されているため、光ヘッドを、両側で支持して姿勢を保ちながら移動させやすくなる。また、光ヘッドに支持された板ばねに係合部を設け、この係合部をスクリュー軸の外周に弾圧させることにより、電気制御上のトラブルなどによって、光ヘッドが終端に至った後にスクリュー軸が回転し続けたとしても、前記係合部に対してスクリュー軸を空回りさせることができ、致命的な故障に至ることを抑制しやすくなる。
【０００６】
しかし、一対の案内部材とスクリュー軸とが設けられたディスク装置では、ディスクに対する光ヘッドの傾き角度を調整するために、一対の案内部材の平行度を保てるように、少なくとも一方の案内部材の角度を調整することが必要になる。このように、一対の案内部材を傾けて光ヘッドの向きを調整すると、案内部材で案内されて移動する光ヘッドの移動軌跡と、スクリュー軸の軸線との平行度が保てないことが生じる。この場合、光ヘッドの移動位置によって、前記係合部とスクリュー軸との加圧力が変化し、スクリュー軸の負荷が変動しやすくなる。スクリュー軸を駆動する移送モータとして大型のものを使用すれば、前記負荷の変動にかかわらず光ヘッドを比較的高精度に移動させることが可能である。しかし、小型モータを使用すると、前記負荷の変動により、光ヘッドを目的の位置に正確に移送できないことがある。
【０００７】
以下の特許文献３には、一対の案内部材で光ヘッドを案内するとともに、一方の案内部材とスクリュー軸の角度を一緒に調整するディスク装置が開示されている。
【０００８】
このディスク装置は、一方の案内部材である摺動主軸の一端とスクリュー軸の一端とが同じ係合部材に固定されており、この係合部材がシャーシ部に対して角度調整自在に取り付けられて、摺動主軸の取付け角度とスクリュー軸の取付け角度を一緒に調整できるようにしている。
【特許文献１】特開２００１−３５１２５１号公報
【特許文献２】特開２００３−１８７４６３号公報
【特許文献３】特開２００５−２６７６７２号公報
【発明の開示】
【発明が解決しようとする課題】
【０００９】
しかし、特許文献３に記載されたディスク装置の角度調整機構は、摺動主軸の一端とスクリュー軸の一端が共に係合部材に固定されているため、係合部材をシャーシ部に接近させることにより、又は離すことにより調整する際に、摺動主軸とスクリュー軸に曲げ応力が作用しやすく、摺動主軸の直線性が損なわれたり、スクリュー軸の回転負荷が増大するおそれがある。
【００１０】
また、係合部材に摺動主軸の一端とスクリュー軸の一端とが固定されているため、この係合部材が傾くと、摺動主軸とスクリュー軸との平行度が崩れてしまう。よって、２つの軸の端部が固定された係合部材を、その姿勢を保ったままシャーシ部に接近し離れるように動作させるための案内機構が必要である。
【００１１】
この点に関し、特許文献３の図３には、シャーシ部に凹部が形成され、係合部材が前記凹部内で昇降できるように案内されているとともに、前記凹部の中央部に設けられた調整ねじによって係合部材が昇降させられる構造が開示されている。しかし、この構造では、１つの調整ねじで係合部材を支えているために、係合部材の姿勢が不安定であり、さらに係合部材と凹部の側壁とが摺動するために摩擦抵抗力が大きくなり、係合部材をスムースに昇降調整することが困難である。
【００１２】
本発明は、上記従来の課題を解決するものであり、ヘッドが案内部材で案内されスクリュー軸で移動させられるものにおいて、案内部材とスクリュー軸の姿勢を安定させた状態で調整でき、ヘッドが移動するときの負荷を低減できるディスク装置を提供することを目的としている。
【課題を解決するための手段】
【００１３】
本発明は、シャーシに、ディスクを駆動する回転駆動部と、記録動作と再生動作の少なくとも一方を行うヘッドと、前記ヘッドを案内する第１の案内部材および第２の案内部材と、前記第１の案内部材と並んで設けられて移送モータによって回転駆動されるスクリュー軸とが搭載され、前記スクリュー軸の回転力によって前記ヘッドがディスクの面に対向して移動するディスク装置において、
前記スクリュー軸を回転自在に支持するブラケットが設けられ、前記ブラケットには、前記スクリュー軸と平行に延びる連結板部と、前記連結板部の両側に位置する一対の押圧部と、前記連結板部において前記シャーシから離れる向きに隆起する支点突起とが形成され、前記シャーシに、取付け面と、前記取付け面に間隔を空けて対向する中間支持部とが設けられており、
前記連結板部が前記取付け面と前記中間支持部との間に配置されて、中間弾性部材によって前記連結板部が前記取付け面から離れる向きに付勢されて、前記支持突起が前記中間支持部に押し付けられており、
それぞれの前記押圧部によって前記第１の案内部材の両端部が前記取付け面に向けて押圧されるとともに、前記第１の案内部材の前記両端部を前記取付け面から離れる向きに付勢する弾性部材が設けられており、
前記ブラケットの傾き角度を、前記支持突起と前記中間支持部との当接部を支点として調整する傾き調整機構が設けられ、前記ブラケットと共に前記スクリュー軸の傾き角度が調整可能であるとともに、前記取付け面に対する前記第１の案内部材の傾き角度が同時に調整可能とされていることを特徴とするものである。
【００１４】
本発明のディスク装置は、第１の案内部材の角度とスクリュー軸の角度を一緒に調整することが可能である。よって、第１の案内部材とスクリュー軸との相対位置を保つことができ、ヘッドの移動位置の変化によってスクリュー軸の回転負荷が変動する問題を防止しやすい。
【００１５】
また、スクリュー軸を支持しているブラケットの傾き角度を変えるときに、このブラケットに設けられた押圧部で第１の案内部材が押圧されて、この第１の案内部材の角度が変えられる。スクリュー軸を支持するブラケットと第１の案内部材は互いに独立した部材であるため、ブラケットの角度調整の際に第１の案内部材に過大な応力が与えられることがなく、しかも第１の案内部材の角度を一緒に調整できる。
【００１７】
本発明は、ブラケットの２箇所に設けられた押圧部で第１の案内部材が押圧されて第１の案内部材の角度が変えられるが、第１の案内部材にシャーシから押し上げる付勢力を作用する弾性部材が設けられているため、この弾性部材の変形によって、第１の案内部材に過大な曲げ応力が作用することを防止できる。
【００１８】
本発明は、前記ブラケットに設けられた前記押圧部が、前記シャーシの取付け面に対して傾斜して形成され、前記シャーシの取付け面には、垂直に延びる規制部が設けられており、前記押圧部から前記第１の案内部材に作用する押圧力の分力によって、前記第１の案内部材が、前記シャーシの方向に押されるとともに前記規制部に押し付けられていることが好ましい。
【００１９】
上記構成では、第１の案内部材が、シャーシの取付け面と平行な方向へ移動することがなく、第１の案内部材の姿勢を、シャーシの取付け面との角度が変化する方向にのみ調整できるようになる。
【００２０】
本発明は、前記傾き調整機構は、前記スクリュー軸の軸方向に間隔を空けた２箇所で、前記ブラケットに挿通されて前記シャーシに螺着された一対の調整ねじを有しており、前記調整ねじのねじ込み量を変えると、前記ブラケットの傾き角度が変えられるものである。
【００２１】
本発明のディスク装置は、共通の弾性部材で、第１の案内部材とブラケットの双方をシャーシから離れる向きに付勢しているため、弾性部材の数が最少限で済む。この弾性部材により、ブラケットと第１の案内部材の双方に過大な応力が作用することを防止できる。
【００２４】
前記発明では、ブラケットが中心支持部を支点として回動することでスクリュー軸の傾きを調整でき、これに伴って第１の案内部材の傾きを調整できる。このように、ブラケットが中間支持部を支点として傾くため、ブラケットとシャーシとの距離が極端に変化することがなく、調整ねじのねじ込み調整動作により、ブラケットの傾きを効率よく調整できる。
【００２５】
さらに、本発明は、前記ブラケットに、前記ヘッドの移動位置を検知する検知スイッチが設けられているものである。
【００２６】
本発明のディスク装置は、ブラケットを傾かせる調整作業で第１の案内部材とスクリュー軸の角度を一緒に調整できるが、ヘッドの移動位置を検知する検知スイッチがブラケットに搭載されているため、ヘッドと検知スイッチとの相対位置が、調整作業によって大きく変動することがなく、検知スイッチでヘッドを常に同じ位置で検知できる。
【発明の効果】
【００２７】
本発明のディスク装置は、ヘッドを案内する案内部材とヘッドに移動力を与えるスクリュー軸との相対位置を常に維持しながらヘッドの傾き調整ができ、ヘッドの移動位置によってスクリュー軸の回転負荷が大きく変動することを防止しやすい。よって、比較的小型の移送モータを使用することも可能である。また、調整作業の際に、スクリュー軸と第１の案内部材に極端な応力が作用することがなく、また最少の部品点数で、スクリュー軸と第１の案内部材の双方の傾きを調整することができる。
【発明を実施するための最良の形態】
【００２８】
図１は本発明の実施の形態のディスク装置の主要部を示す側面図である。図２は前記ディスク装置のドライブシャーシを下面を上向きとした姿勢で示す斜視図、図３は、ドライブシャーシの下面に搭載された機構の分解斜視図である。図４は、図２に示すドライブシャーシをＩＶ−ＩＶ線で切断した断面図である。
【００２９】
図１に示すディスク装置１は、金属板で形成された筐体２を有しており、筐体２の前面部３に挿入口４が開口している。筐体２の内部では、挿入口４の内側に搬送ローラ５と、搬送ローラ５の上方に対向する合成樹脂製の摺動部材６が設けられている。搬送ローラ５はばね部材の付勢力で摺動部材６に押圧されており、挿入口４から挿入されたディスクＤは、搬送ローラ５と摺動部材６とで挟持され、搬送ローラ５の回転力によって筐体２の内部に送り込まれる。
【００３０】
筐体２の内部にはドライブシャーシ１０が設けられている。図２に示すように、ドライブシャーシ１０は金属板をプレス加工することで形成されている。筐体２の内部には、図２に示すダンパー７が複数箇所に固定されている。ダンパー７は、ゴム製の袋の内部にオイルが封入されている。ダンパー７は、図２に示す固定部７ａが筐体２の内部に固定され、ドライブシャーシ１０の複数箇所に設けられた支持部１０ａがダンパー７に支持されることで、筐体２内において、ドライブシャーシ１０が弾性支持される。
【００３１】
図１に示すように、筐体２のＸ２側の奥側では、ドライブシャーシ１０に一対の支持片１０ｂが上向きに折り曲げられて形成されている。図２には、一方の支持片１０ｂが図示されている。それぞれの支持片１０ｂに支持軸１１が固定されており、ドライブシャーシ１０の上には、支持軸１１を支点として回動自在に支持されたクランプベース１２が設けられている。クランプベース１２は図示しないばね部材によって反時計方向へ回動付勢されている。図１に示すように、挿入口４から挿入されたディスクＤが筐体２内に搬入されるときは、図示しないクランプ解除部材によってクランプベース１２が持ち上げられている。
【００３２】
ドライブシャーシ１０には回転駆動部１３が設けられている。図２に示すように、回転駆動部１３では、ドライブシャーシ１０の下面１０ｃにスピンドルモータ１４が固定されており、図１に示すように、スピンドルモータ１４の回転軸１５は、ドライブシャーシ１０の上面１０ｄから上方へ突出し、この回転軸１５にターンテーブル１６が固定されている。
【００３３】
ターンテーブル１６の上方で、クランプベース１２の先部にクランパ１７が回転自在に支持されている。
【００３４】
筐体２の内部に搬入されたディスクＤの中心穴がターンテーブル１６の上に至ると、クランプ解除部材からクランプベース１２に与えられる持ち上げ力が解除され、クランプベース１２がばね部材の付勢力によって反時計方向へ回動させられる。そして、ディスクＤの中心穴がターンテーブル１６と突部１６ａに嵌合し、ディスクＤの中心穴の周囲部分が、ターンテーブル１６の支持部１６ｂとクランパ１７とで挟持される。
【００３５】
図２に示すように、ドライブシャーシ１０には、回転駆動部１３の側方に大きな開口部１０ｅが形成されており、ヘッド２０が開口部１０ｅの内部において、ディスクＤの半径方向であるα１−α２方向へ移動自在に設けられている。
【００３６】
ヘッド２０は、アルミニウム合金などの軽金属材料で形成されたヘッドベース２１を有している。ヘッドベース２１には、図２の図示左側に突出する一対の基準軸受部２１ａと基準軸受部２１ｂが一体に形成されており、基準軸受部２１ａに円形の基準摺動穴２１ｃが開口し、基準軸受部２１ｂに円形の基準摺動穴２１ｄが開口している。基準摺動穴２１ｃと基準摺動穴２１ｄは、同一線上に形成されている。ヘッドベース２１には、図２の図示右側に突出する案内突部２１ｅが形成されており、図４に示すように、案内突部２１ｅに、図４の右方向に向けてＵ字状に開口する摺動凹部２１ｆが形成されている。
【００３７】
ヘッドベース２１の内部には、半導体レーザなどの発光素子と、この発光素子から発せられた光をディスクＤの記録面に与える対物レンズと、ディスクＤの記録面から反射された反射光を受光する受光素子などが内蔵されている。対物レンズは、ヘッドベース２１のＺ１側に向く面、すなわち図１において上向きとなる上面に設けられている。対物レンズの光軸はＺ１方向に向けられるが、後に説明する傾き調整機構によって、光軸Ｚ１がスピンドルモータ１４の回転軸１５の軸線Ｏとなるべく平行となるように調整される。
【００３８】
ドライブシャーシ１０に形成された開口部１０ｅの一方の側部には、第１の案内部材である基準シャフト２２が設けられ、他方の側部には第２の案内部材である摺動シャフト２３が設けられている。ヘッドベース２１に形成された基準摺動穴２１ｃと２１ｄは、基準シャフト２２にほとんど隙間なく摺動できるように支持され、ヘッド２０は基準シャフト２２を基準としてα１−α２方向へ案内される。ヘッドベース２１の他方の側部に形成された摺動凹部２１ｆは、摺動シャフト２３に摺動できるように支持されている。摺動凹部２１ｆは摺動シャフト２３に対して、図４の上下方向（Ｚ１−Ｚ２方向）へほとんど隙間を有することなく組み合わされているが、図４の左右方向へは余裕を有して組み合わされる。
【００３９】
図３と図４に示すように、ドライブシャーシ１０の下面１０ｃは、基準シャフト２２などが取り付けられる取付け面となっている。図３に示すように、下面１０ｃには、開口部１０ｅの側方に一対の固定突起１０ｆ，１０ｆが突出形成されており、固定突起１０ｆ，１０ｆよりもα２側に、同様に固定突起１０ｇが突出形成されている。固定突起１０ｆ，１０ｆよりもα１側には雌ねじ穴１０ｈが形成されており、固定突起１０ｇのα１側にも雌ねじ穴１０ｉが形成されている。
【００４０】
図３に示すように、ドライブシャーシ１０の下面１０ｃには、第１の板ばね３１と第２の板ばね３６が取り付けられている。第１の板ばね３１と第２の板ばね３６は、りん青銅板やステンレス板などの薄い板ばね金属材料で形成されている。
【００４１】
第１の板ばね３１には平坦な支持板部３２が設けられており、この支持板部３２に一対の嵌合穴３２ａ，３２ａと、そのα１側に位置するねじ逃げ穴３２ｂが開口している。第１の板ばね３１は、嵌合穴３２ａ，３２ａがそれぞれ固定突起１０ｆ，１０ｆに嵌合して、支持板部３２がドライブシャーシ１０の下面１０ｃに密着するように取り付けられる。嵌合穴３２ａ，３２ａが固定突起１０ｆ，１０ｆに圧入され、または嵌合穴３２ａ，３２ａが固定突起１０ｆ，１０ｆに挿通された後に固定突起１０ｆ，１０ｆが潰されてかしめ固定され、あるいは支持板部３２が下面１０ｃに接着されるなどして、支持板部３２は、ドライブシャーシ１０の下面１０ｃに動くことなく固定される。また、支持板部３２に形成されたねじ逃げ穴３２ｂは、雌ねじ穴１０ｈと重なって位置する。
【００４２】
第１の板ばね３１には、支持板部３２のα１側の端部からＺ２方向へ折り曲げられた弾性部３３が一体に形成されている。弾性部３３は、傾斜付勢部３３ａと、傾斜付勢部３３ａから折り曲げられた端面規制部３３ｂとを有している。弾性部３３と対向する位置で、ドライブシャーシ１０にはＺ２方向へ起立する規制片１０ｊが折り曲げ形成されており、この規制片１０ｊの側部が、下面１０ｃからＺ２方向へ垂直に延びる規制部１０ｋとなっている。傾斜付勢部３３ａは、下面１０ｃからＺ２方向へ離れるにしたがって規制部１０ｋから遠ざかるように傾斜している。
【００４３】
図４に示すように、基準シャフト２２の一方の端部２２ａは、弾性部３３の傾斜付勢部３３ａから作用する付勢力によって、下面１０ｃから離れるようにＺ２方向へ向けて押圧されるとともに、その分力によって規制部１０ｋに押し付けられる。また、弾性部３３に形成された端面規制部３３ｂが、基準シャフト２２の端面２２ｂに当接し、基準シャフト２２が軸方向へ動かないように規制される。
【００４４】
図３に示すように、第２の板ばね３６は、支持板部３７と、この支持板部３７に対して傾斜角度を有して折り曲げられた弾性部３８とを有している。支持板部３７には嵌合穴３７ａが開口している。嵌合穴３７ａが固定突起１０ｇに嵌合し、圧入されまたはかしめ固定され、あるいは接着されるなどして、支持板部３７はドライブシャーシ１０の下面１０ｃに密着して動くことのないように固定されている。また、弾性部３８は、下面１０ｃから立ち上がって弾性変形できる状態となっている。
【００４５】
図３に示すように、弾性部３８の側方に規制片１０ｍが折り曲げられており、この規制片１０ｍに、ドライブシャーシ１０の下面１０ｃからＺ２方向に垂直に延びる規制部１０ｎが形成されている。基準シャフト２２の他方の端部２２ｃは規制部１０ｎに案内され、弾性部３８によって下面１０ｃから離れるＺ２方向へ向けて付勢されている。また、第２の板ばね３６の弾性部３８にはねじ逃げ穴３８ａが開口しており、このねじ逃げ穴３８ａがドライブシャーシ１０に形成された雌ねじ穴１０ｉと重なって位置する。
【００４６】
図２と図３に示すように、基準シャフト２２の側方で、且つ第１の板ばね３１と第２の板ばね３６の上にブラケット４０が設けられている。
【００４７】
ブラケット４０は金属板で折り曲げ形成されている。ブラケット４０は、基準シャフト２２とほぼ平行に延びる連結板部４１と、連結板部４１のα１側の端部からＺ２方向へ折り曲げられた第１の支持側板４２と、α２側の端部からＺ２方向へ折り曲げられた第２の支持側板４３を有している。
【００４８】
第２の支持側板４３の外部に移送モータ５１が固定されている。移送モータ５１はステッピングモータであり、その回転軸にはスクリュー軸５２が取り付けられている。スクリュー軸５２は、第２の支持側板４３に形成された穴４３ａから突出しており、スクリュー軸５２の先端部は、第１の支持側板４２に設けられた軸受部に回転自在に支持されている。
【００４９】
ブラケット４０には、第１の支持側板４２のＺ２側の端部から水平方向に折り曲げられたねじ装着部４４が形成されており、このねじ装着部４４からＺ１側に折り曲げられた第１の押圧片４５が設けられている。第１の押圧片４５の端辺には、傾斜した押圧部４５ａが形成されている。押圧部４５ａは、ドライブシャーシ１０の下面１０ｃから離れるにしたがって規制部１０ｋに接近する向きで傾斜している。また、ブラケット４０には、第２の支持側板４３の側部から水平に延びるねじ装着部４６が形成されており、第２の支持側板４３とねじ装着部４６との間に第２の押圧片４７が形成されている。第２の押圧片４７はＺ２方向に向けて斜めに延びており、その片面が押圧部４７ａとなっている。押圧部４７ａは、ドライブシャーシ１０の下面１０ｃからＺ２方向へ離れるにしたがって規制部１０ｎに接近するように傾斜している。
【００５０】
図３に示すように、ブラケット４０の連結板部４１にはＺ２方向に隆起する支点突起４１ａが設けられている。ドライブシャーシ１０には下面１０ｃからＺ２方向へ切り起こされた支持突部１０ｐが折り曲げ形成され、支持突部１０ｐから折り曲げられた中間支持部１０ｑが、下面１０ｃとほぼ平行に設けられている。また、第１の板ばね３１には支持板部３２から左方向へ突出する中間弾性部３４が一体に形成されている。この中間弾性部３４は、支持板部３２から、Ｚ２方向へ折り曲げられて斜めに延びており、中間支持部１０ｑの下側に対向している。
【００５１】
図２に示すように、ブラケット４０は、連結板部４１の支点突起４１ａを有する部分が、中間弾性部３４と中間支持部１０ｑの間に入り込み、中間弾性部３４の弾性力によって連結板部４１がＺ２方向へ付勢されて、支点突起４１ａが、中間支持部１０ｑのＺ１側に向く面に押圧されている。また、ブラケット４０のねじ装着部４４にねじ装着穴が形成されており、このねじ装着穴に挿通された調整ねじ５５が、ドライブシャーシ１０に形成された雌ねじ穴１０ｈに螺着されている。また、α２側に形成されたねじ装着部４６にもねじ装着穴が形成されており、ねじ装着穴に挿通された調整ねじ５６が、ドライブシャーシ１０に形成された雌ねじ穴１０ｉに螺着されている。
【００５２】
このようにして、ブラケット４０がドライブシャーシ１０の下面１０ｃに取り付けられると、図４に示すように、基準シャフト２２の一方の端部２２ａが、第１の板ばね３１の弾性部３３に形成された傾斜付勢部３３ａとブラケット４０に形成された第１の押圧片４５の押圧部４５ａとの間に挟まれる。そして、前記傾斜付勢部３３ａの弾性力により、基準シャフト２２の端部２２ａがＺ２方向へ付勢されるとともに、同じ傾斜付勢部３３ａの弾性力によって、基準シャフト２２の端部２２ａを介して、ブラケット４０の押圧部４５ａがＺ２方向へ付勢される。さらに、傾斜付勢部３３ａによるＺ２方向への付勢力の水平分力ならびに押圧部４５ａによるＺ１方向への押圧力の水平分力によって、端部２２ａが規制部１０ｋに押し付けられる。
【００５３】
基準シャフト２２の他方の端部２２ｃは、第２の板ばね３６の弾性部３８とブラケット４０に形成された第２の押圧片４７の押圧部４７ａの間に挟まれる。そして、基準シャフト２２の端部２２ｃは、第２の板ばね３６の弾性部３８の弾性力によりＺ２方向へ付勢されるとともに、同じ弾性部３８の弾性力によって、基準シャフト２２の端部２２ｃを介して、ブラケット４０の押圧部４７ａがＺ２方向へ付勢される。また、押圧部４７ａによるＺ１方向への押圧力の水平分力によって、基準シャフト２２の端部２２ａは規制部１０ｎに押し付けられる。
【００５４】
また、基準シャフト２２の一方の端面２２ｂは、第１の板ばね３１の弾性部３３に形成された端面規制部３３ｂに当たって規制され、基準シャフト２２の他方の端面２２ｄは、ブラケット４０のα２側のねじ装着部４６に当たって規制されている。よって、基準シャフト２２は軸方向へ動かないように保持されている。
【００５５】
ブラケット４０がドライブシャーシ１０に取り付けられた状態では、ブラケット４０のα１側の端部とα２側の端部が、第１の板ばね３１の弾性部３３と第２の板ばね３６の弾性部３８の付勢力によって、基準シャフト２２と共に、ドライブシャーシ１０の下面１０ｃからやや離れた位置でＺ２方向へ付勢されている。さらに、第１の板ばね３１の中間弾性部３４によって、ブラケット４０の連結板部４１が下面１０ｃから離れた位置で、支点突起４１ａが中間支持部１０ｑに押し付けられるように付勢されている。
【００５６】
そのため、調整ねじ５５を締め付けると、ブラケット４０のα１側の端部と、基準シャフト２２のα１側の端部２２ａが下面１０ｃに接近するように、ブラケット４０と基準シャフト２２の傾き調整が可能であり、逆に調整ねじ５６を締め付けると、ブラケット４０のα２側の端部と、基準シャフト２２のα２側の端部が面１０ｃに接近するように、ブラケット４０と基準シャフト２２の傾き調整が可能である。
【００５７】
この実施の形態では、第１の板ばね３１と第２の板ばね３６および調整ねじ５５と調整ねじ５６によって、傾き調整機構が構成されている。
【００５８】
図２に示すように、ドライブシャーシ１０の下面１０ｃには、開口部１０ｅを挟んでブラケット４０とは逆側に、保持板ばね６０が設けられている。保持板ばね６０は、第１の板ばね３１および第２の板ばね３６と同種の金属板ばね材料で形成されている。
【００５９】
保持板ばね６０は、α１−α２方向に延びる支持板部６１を有している。ドライブシャーシ１０の下面１０ｃには、一対の固定突起１０ｒ，１０ｒがＺ２方向へ突出形成されており、支持板部６１に形成された一対の取付け穴が固定突起１０ｒ，１０ｒに圧入され、または取付け穴がかしめ固定され、あるいは支持板部６１が下面１０ｃに接着されるなどして、保持板ばね６０は、支持板部６１がドライブシャーシ１０の下面１０ｃにおいて動かないように固定されている。
【００６０】
保持板ばね６０は、支持板部６１のα１側の端部がＺ２方向へ折り曲げられ、さらに図４に示すようにコの字状に折り曲げられて保持部６２が形成されている。同様に、支持板部６１のα２側の端部もＺ２方向へ折り曲げられ、保持部６２と同様にコの字状に折り曲げられて保持部６３が形成されている。摺動シャフト２３の一方の端部２３ａは、保持部６２内においてＺ１−Ｚ２方向にがたつくことなく弾性的に保持されており、摺動シャフト２３の他方の端部２３ｂは、保持部６３内においてがたつくことなく弾性的に保持されている。
【００６１】
図４に示すように、保持部６２と保持部６３は、ドライブシャーシ１０の下面からＺ２方向へやや離れて位置している。図２に示すように、α１側の保持部６２に調整ねじ６５が挿通され、調整ねじ６５がドライブシャーシ１０に螺着されており、α２側の保持部６３に調整ねじ６６が挿通され、調整ねじ６６がドライブシャーシ１０に螺着されている。
【００６２】
調整ねじ６５を締め付けると、摺動シャフト２３はα１側の端部２３ａがＺ１側に向くように傾き、調整ねじ６６を締め付けると、摺動シャフトはα２側の端部２３ｂがＺ１側に向くように傾く。
【００６３】
保持板ばね６０および調整ねじ６５と調整ねじ６６とで、摺動側の傾き調整機構が構成されている。
【００６４】
図２に示すように、ヘッドベース２１のＺ２側の面には移送板ばね７１が固定されている。移送板ばね７１の先端部には雌ねじや突部などの係合部が設けられ、この係合部が、スクリュー軸５２のねじ溝５３に、摺動自在に嵌合している。
【００６５】
また、ブラケット４０の連結板部４１にはα２側にリミットスイッチ７４が固定されている。移送板ばね７１には検知片７３が一体に折り曲げられており、スクリュー軸５２の回転力によってヘッド２０がディスクＤの内周側であるα２側の移動終端に至ると、検知片７３によって、リミットスイッチ７４のアクチュエータが押され、リミットスイッチ７４の検知出力が切り替えられる。
【００６６】
次に、ディスク装置の調整作業について説明する。
図２に示すように、ドライブシャーシ１０の下面１０ｃに各部品が組み込まれた後に、ヘッド２０の取付け角度の調整作業が行われる。
【００６７】
この調整作業は、ヘッド２０の案内基準である基準シャフト２２の傾きを調整し、さらに基準シャフト２２の傾きに伴って摺動シャフト２３の傾きを調整することで行われる。
【００６８】
ブラケット４０側の傾き調整機構を構成する調整ねじ５５と調整ねじ５６のねじ込み量を変えることで、ブラケット４０の傾き角度を変えることができる。このとき、ブラケット４１の支点突起４１ａと中間支持部１０ｑとの当接部の位置は常に変わらないため、調整ねじ５５と調整ねじ５６を回転させても、ブラケット４０の全体がドライブシャーシ１０の下面１０ｃから大きく離れたり、逆に必要以上に下面１０ｃに接近することがない。また、支点突起４１ａと中間支持部１０ｑとの当接点を挟んでα１側に調整ねじ５５が、α２側に調整ねじ５６が設けられているため、調整ねじ５５と調整ねじ５６のねじ込み量を変えたときに、ブラケット４０が前記当接点を支点として傾くようになり、ブラケット４０およびこれに支持されたスクリュー軸５２の傾き調整が容易である。
【００６９】
ブラケット４０の傾きが調整されると、ブラケット４０に設けられた押圧部４５ａ，４７ａで基準シャフト２２が押され、基準シャフト２２の角度も変えられる。基準シャフト２２とブラケット４０との相対位置は、基準シャフト２２と各押圧部４５ａ，４７ａとの当接部により決められているため、ブラケット４０が傾く際に、基準シャフト２２も一緒に傾きが変えられる。
【００７０】
前記のように、ブラケット４０を、支点突起４１ａと中間支持部１０ｑとの当接部を支点として傾かせる調整作業により、基準シャフト２２の傾きも同様にして高精度に変えられるようになり、ブラケット４０およびスクリュー軸５２の傾き調整が容易になるのみならず、同じ調整作業で、基準シャフト２２の傾き調整を容易に行うことができる。
【００７１】
しかも、基準シャフト２２は、ドライブシャーシ１０の下面１０ｃからＺ２方向へ垂直に延びる規制部１０ｋおよび規制部１０ｎに当接した状態でＺ１−Ｚ２方向へ移動する。そのため、調整ねじ５５，５６を調整する際に、基準シャフト２２が、ドライブシャーシ１０の下面１０ｃと平行な方向へ動くことはなく、Ｚ１−Ｚ２方向への傾き角度のみが調整される。よって、調整ねじ５５，５６を回転させることにより、ヘッド２０に設けられた対物レンズの光軸のラジアル方向の傾き調整を高精度に行うことができ、光軸とスピンドルモータ１４の回転軸１５の軸線Ｏとが平行となるように調整できる。
【００７２】
ブラケット４０と基準シャフト２２は、一緒に傾き調整を行うことができるが、ブラケット４０と基準シャフト２２は互いに独立した部材であり、弾性部３３，３８の弾性力で互いに押し付けられて相対位置が決められている。そのため、傾き調整を行う際に、ブラケット４０に支持されているスクリュー軸５２と基準シャフト２２に過大な曲げ応力を互いに与えあうことがない。
【００７３】
上記のようにして、基準シャフト２２の傾きを調整した後に、保持板ばね６０の保持部６２，６３に装着された調整ねじ６５，６６の締め付け量を調整して摺動シャフト２３の傾きを調整する。この調整作業で、摺動シャフト２３と基準シャフト２２との平行度を、基準シャフト２２を基準として決めることができる。
【００７４】
このディスク装置１は、挿入口４から挿入されて搬入されたディスクＤが、ターンテーブル１６とクランパ１７とで挟持されてクランプされ、スピンドルモータ１４の回転力により、ディスクＤが回転駆動される。そして、ブラケット４０に保持された移送モータ５１によって、スクリュー軸５２が回転駆動されると、移送板ばね７１の係合部７２がスクリュー軸５２のねじ溝５３を摺動して、ヘッド２０がα１−α２方向へ移動させられる。
【００７５】
ブラケット４０と基準シャフト２２は、相対位置が変化することなく、一緒に傾き調整されるため、調整後にスクリュー軸５２と基準シャフト２２との間の平行度が大きく狂うことがない。よって、ヘッド２０がα１−α２方向へ移動する間に、移送板ばね７１のスクリュー軸５２への弾圧力の変動が少なく、係合部７２とねじ溝５３との摺動摩擦抵抗の変動が少なくなって、移動負荷が変動しにくくなる。
【００７６】
移送モータ５１の移動力によりヘッド２０がα２方向へ移動してディスクＤの内周側の移動終端に至ると、移送板ばね７１に設けられた検知片７３によってリミットスイッチ７４が切り替えられ、このとき移送モータ５１を停止させるなどの制御が行われる。前述のように、ブラケット４０と基準シャフト２２の相対位置は、調整作業によって変化することはなく、リミットスイッチ７４がブラケット４０に搭載されているため、基準シャフト２２を基準として移動する移送板ばね７１とリミットスイッチ７４との相対位置も常に一定にできる。そのため、リミットスイッチ７４によるヘッド２０の移動終端の検知精度を常に高く維持できる。
【図面の簡単な説明】
【００７７】
【図１】本発明の実施の形態のディスク装置の主要部を示す側面図、
【図２】ディスク装置に搭載されているドライブシャーシを下面を上向きにして示す斜視図、
【図３】ドライブシャーシの下面に取り付けられた機構の分解斜視図、
【図４】図２に示すドライブシャーシをＩＶ−ＩＶ線で切断した断面図、
【符号の説明】
【００７８】
１  ディスク装置
２  筐体
４  挿入口
５  搬送ローラ
１０  ドライブシャーシ
１０ｑ  中間支持部
１０ｋ，１０ｎ  規制部
１２  クランプベース
１３  回転駆動部
１４  スピンドルモータ
１６  ターンテーブル
１７  クランパ
２０  ヘッド
２１  ヘッドベース
２１ｃ，２１ｄ  基準摺動穴
２１ｆ  摺動凹部
２２  基準シャフト（第１の案内部材）
２３  摺動シャフト（第２の案内部材）
３１  第１の板ばね
３３  弾性部
３４  中間弾性部
３６  第２の板ばね
３８  弾性部
４０  ブラケット
４１ａ  支点突起
４４，４６  ねじ装着部
４５ａ，４７ａ  押圧部
５１  移送モータ
５２  スクリュー軸
５５，５６  調整ねじ
７１  移送板ばね
７２  係合部
７３  検知片
７４  リミットスイッチ
Ｄ  ディスク
【図１】
0005241320.tif 000002
【図２】
0005241320.tif 000003
【図３】
0005241320.tif 000004
【図４】
0005241320.tif 000005